(57)【要約】【課題】弁当箱及び飲み物容器を別々に配膳することを不要とし、会合等の参加者が飲み物容器をテーブル上に配置すること無く弁当を食事出来る仕出し用弁当箱を提供する。【解決手段】仕出し用弁当箱１００の弁当箱本体部１０は、領域Ａ１内に配設される、食べ物をそこへ盛り付けるためのトレイ部１と、領域Ａ１に隣接する領域Ａ２内に配設されるスタンド部２を有する。スタンド部２は、第１貫通孔２Ｈ１と、第１貫通孔２Ｈ１に対峙して配設される第２貫通孔２Ｈ２を有する。第１貫通孔２Ｈ１は、飲み物容器が横向きで寝かされた状態でスタンド部２内に嵌合される様にスタンド部上面２ＵＳを貫通し、直下のスタンド部２は空洞空間である。第２貫通孔２Ｈ２は、飲み物容器が縦向きで立った状態でスタンド部２内に嵌合される様にスタンド部上面２ＵＳを貫通し、飲み物容器の底部の形状に相当する横断面形状を有し、且つ、直下のスタンド部２は空洞空間である。【選択図】図２
0003210036.tif 000002
【実用新案登録請求の範囲】
【請求項１】
長手方向に延在する弁当箱本体部と、
前記弁当箱本体部の開口した上部の全体を覆って前記弁当箱本体部を閉めるための弁当箱用蓋部と
を備え、
前記弁当箱本体部は、
前記開口上部の面内で前記長手方向に直交する幅方向に延在する前記弁当箱本体部の一方の端部から前記長手方向に対向する前記弁当箱本体部の他方の端部へ向けて前記長手方向に延在する第１領域内に配設されており、弁当用の食べ物が配設されるトレイ内部を有する、トレイ部と、
前記弁当箱本体部の前記一方の端部に対面する前記トレイ部の一端部に対向する前記トレイ部の他端部と、前記弁当箱本体部の前記他方の端部との間に位置し且つ前記第１領域に隣接する第２領域内に配設されているスタンド部と
を備えており、
前記スタンド部は、
前記幅方向に延在すると共に、弁当用の飲み物容器が横向きで寝かされた状態で嵌合されて前記スタンド部に収納される様に前記スタンド部の上面を貫通する、第１貫通孔と、
前記第１貫通孔に対峙して配設されていると共に、前記飲み物容器が縦向きで立った状態で嵌合されて前記スタンド部に収納される様に前記スタンド部の前記上面を貫通し且つ前記飲み物容器の底部の形状に相当する横断面形状を有する第２貫通孔と
を有しており、
前記第１貫通孔の直下に位置する前記スタンド部の前記上面から前記スタンド部の底面までの部分は空洞の空間であり、
前記第２貫通孔の直下に位置する前記スタンド部の前記上面から前記スタンド部の前記底面までの部分は空洞の空間であり、
前記飲み物容器が前記横向きの寝かされた状態で前記第１貫通孔に嵌合されている状態に於いて前記弁当箱用蓋部が前記弁当箱本体部を閉めた場合に、前記飲み物容器が前記弁当箱用蓋部の裏面に接触しない様に、前記弁当箱本体部及び前記スタンド部の各々の高さは設定されていることを特徴とする、仕出し用弁当箱。
【考案の詳細な説明】
【技術分野】
【０００１】
この考案は、仕出し用弁当箱の構成に関する。
【背景技術】
【０００２】
列車等の車中で食べる弁当食の弁当箱の側面部に、開孔部が設けられた折り畳み可能な箱体が接着されており、上記箱体の開口部内に缶ビール又は缶ジュース等の容器を嵌合して保持する弁当箱が、提案されている（例えば、特許文献１を参照。）。
【先行技術文献】
【特許文献】
【０００３】
【特許文献１】特開平１０−９４４１５号公報
【特許文献２】実開平０１−０６６１２２号公報
【特許文献３】特開２００５−１４５４８３号公報
【特許文献４】実開平５−１３１３号公報
【考案の概要】
【考案が解決しようとする課題】
【０００４】
学会の会合、講演会又はパーティー等の会場に於いては、椅子と共にテーブルが配置されており、当該会合等で配布される資料が上記テーブルの上に配設される。そのため、昼食時等の食事時に会場運営者より各参加者に配膳・提供される仕出し用弁当箱は、通常、テーブルの上では無くて、各参加者の膝の上に配設される。その際、当該仕出し用弁当箱と共に、各参加者に提供される「お茶パック」等の飲み物容器は、逆に、各参加者の膝の上には置けないため、上記テーブルの上に配設される。この様に、各参加者は、食事時に、飲み物容器だけは、仕出し用弁当箱とは別々に、テーブルの上に置かざるを得ず、一々面倒であると共に、万が一、飲み物がこぼれたときには当該テーブル上の資料が濡れてしまうという事態の発生も有り得る。このため、各参加者は、注意を払って、飲み物を飲みながら食事をする必要性がある。
【０００５】
他方で、会場運営者（運営業者とも言う。）の側からしてみれば、会場に於いて仕出し用弁当箱と飲み物容器とを別個に各参加者に配膳・提供する必要性があり、斯かる配膳作業は繁雑・面倒であり、飲み物容器の提供を忘れてしまう事態の発生も有り得る。
【０００６】
この考案は、以上の問題点を踏まえて成されたものであり、その主目的は、１）仕出し用弁当箱と飲み物容器とをそれぞれ会場に於いて別々に配膳することを不要とすると共に、２）会合等の参加者は飲み物を一々テーブル上に別途配置すること無く膝上に置いて食事をすることを可能とする、仕出し用弁当箱を提案する点にある。
【課題を解決するための手段】
【０００７】
本考案の主題に係る仕出し用弁当箱は、長手方向に延在する弁当箱本体部と、前記弁当箱本体部の開口した上部の全体を覆って前記弁当箱本体部を閉めるための弁当箱用蓋部と、を備え、前記弁当箱本体部は、前記開口上部の面内で前記長手方向に直交する幅方向に延在する前記弁当箱本体部の一方の端部から前記長手方向に対向する前記弁当箱本体部の他方の端部へ向けて前記長手方向に延在する第１領域内に配設されており、弁当用の食べ物が配設されるトレイ内部を有する、トレイ部と、前記弁当箱本体部の前記一方の端部に対面する前記トレイ部の一端部に対向する前記トレイ部の他端部と、前記弁当箱本体部の前記他方の端部との間に位置し且つ前記第１領域に隣接する第２領域内に配設されているスタンド部と、を備えており、前記スタンド部は、前記幅方向に延在すると共に、弁当用の飲み物容器が横向きで寝かされた状態で嵌合されて前記スタンド部に収納される様に前記スタンド部の上面を貫通する、第１貫通孔と、前記第１貫通孔に対峙して配設されていると共に、前記飲み物容器が縦向きで立った状態で嵌合されて前記スタンド部に収納される様に前記スタンド部の前記上面を貫通し且つ前記飲み物容器の底部の形状に相当する横断面形状を有する第２貫通孔と、を有しており、前記第１貫通孔の直下に位置する前記スタンド部の前記上面から前記スタンド部の底面までの部分は空洞の空間であり、前記第２貫通孔の直下に位置する前記スタンド部の前記上面から前記スタンド部の前記底面までの部分は空洞の空間であり、前記飲み物容器が前記横向きの寝かされた状態で前記第１貫通孔に嵌合されている状態に於いて前記弁当箱用蓋部が前記弁当箱本体部を閉めた場合に、前記飲み物容器が前記弁当箱用蓋部の裏面に接触しない様に、前記弁当箱本体部及び前記スタンド部の各々の高さは設定されていることを特徴とする。
【考案の効果】
【０００８】
本考案の主題に係る仕出し用弁当箱によれば、１）会合等の運営者は、予め弁当箱本体部のスタンド部内に第１貫通孔を介して収納された弁当用の飲み物容器が入っている仕出し用弁当箱を、その配膳時に、会合等の参加者の下へ配ることが出来る。このため、運営者は、弁当箱とは別個に、一々、弁当用の飲み物容器を参加者に配る手間が無くなり、又、飲み物容器を参加者に配るのを忘れてしまう事態も未然に確実に防止出来、以って、効率の良い仕出し用弁当箱の配膳作業を実現することが出来る。
【０００９】
加えて、本考案の主題に係る仕出し用弁当箱によれば、２）会合等の参加者は、自己の膝上に置かれた仕出し用弁当箱の食事中に飲み物容器内の飲み物を飲むことを欲する場合には、第１貫通孔を介してスタンド部より当該飲み物容器を取り出して飲み物を飲むことが出来、飲み物を飲み終わった後に、未だ飲み物が入っている当該飲み物容器を縦向きの状態で第２貫通孔を介してスタンド部内の空洞空間内に立てて収納することが出来る。そして、更に、会合等の参加者が食事中に飲み物を欲するときには、参加者は仕出し用弁当箱を自己の膝上に置いたままの姿勢で、第２貫通孔を介してスタンド部より当該飲み物容器を取り出して飲み物を飲むことが出来る。そして、参加者は、飲み物を飲み終わった後に、未だ飲み物が入っている当該飲み物容器を再び第２貫通孔を介してスタンド部内の空洞空間内に立てて収納することが出来る。この様に、会合等の参加者は、配膳後の食事中に、一部を飲んだだけの飲み物容器をわざわざテーブルの上に配置すること無く、依然として、弁当箱本体部内のスタンド部内の第２貫通孔直下の空洞空間への飲み物容器の収納を通じて、飲み物容器を自己の膝上に置いたままで、食事を続行することが出来る。そのため、参加者は、食事中、一部を飲んだだけの飲み物容器が横に倒れてこぼれて、飲み物によりテーブル上の資料が濡れてしまう事態の発生を確実に防止することが出来、安心して膝上に置かれた仕出し用弁当箱内の食べ物及び飲み物の飲食を行うことが出来る。
【００１０】
以下、本考案の様々な具体化を、添付図面を基に、その効果・利点と共に、詳述する。
【図面の簡単な説明】
【００１１】
【図１】本考案の実施の形態１に係る仕出し用弁当箱の構成を模式的に示す斜視図である。
【図２】図１に示す仕出し用弁当箱の弁当箱本体部の構成を模式的に示す平面図である。
【図３】図２に示す弁当箱本体部の第１貫通孔内及びその直下の空洞内にお茶パック（飲み物容器）が横方向に寝かされた態様で嵌合されている状態を模式的に示す平面図である。
【図４】図２に示す弁当箱本体部の第２貫通孔内及びその直下の空洞内にお茶パック（飲み物容器）が縦方向に立てられた態様で嵌合されている状態を模式的に示す平面図である。
【考案を実施するための形態】
【００１２】
（実施の形態１）
＜仕出し用弁当箱の構成＞
図１は、本実施の形態に係る仕出し用弁当箱１００の構成を模式的に示す斜視図である。仕出し用弁当箱１００は、大要、弁当箱本体部１０及び弁当箱用蓋部２０より成る。この内、弁当箱用蓋部２０は、その裏面２０ＢＳで以って、弁当箱本体部１０の開口した上部（開口上部）１０ＵＰの全体を覆うことで、弁当箱本体部１０を閉めるための弁当箱用の蓋である。図１に於いて、長手方向Ｄ１は弁当箱本体部１０の延在方向であり、幅方向Ｄ２は弁当箱本体部１０の幅に沿って延在し且つ開口上部１０ＵＰの面内で長手方向Ｄ１に直交する方向である。又、縦方向Ｄ３は、長手方向Ｄ１及び幅方向Ｄ２に直交する弁当箱本体部１０の高さ方向に該当する。
【００１３】
図１に示される様に、弁当箱本体部１０は、その底面１０ＢＳから上面１０ＵＳまでに亘って、縦方向Ｄ３に沿った高さＨを有する。そして、弁当箱本体部１０は、その４つの側面１０ＳＳと底面１０ＢＳとで囲まれた内部空間１０ＩＳ内に、１）トレイ部（トレー部）乃至は皿部１と、２）スタンド部２とを有する。本実施の形態に係る仕出し用弁当箱１００の特徴部乃至は中核部は、後述される様に、このスタンド部２の構成の点にある。
【００１４】
トレイ部１は、縦方向Ｄ３に関して、弁当箱本体部１０の内部空間１０ＩＳを基点とした高さＨ１（Ｈ１＜Ｈ）を有する、「トレイ」である。このトレイ部１の外枠１Ｗで全体的に囲まれた領域であり、且つ、図１及び後述の図２に於いては一点破線で描かれている、トレイ内部１ＳＰには、弁当用の種々の食べ物が配設される。即ち、トレイ内部１ＳＰは、弁当用の種々の食べ物を配設する乃至は盛り付けるためのスペースである。例えば、弁当用の種々の食べ物をトレイ内部１ＳＰに配設するために、各料理の食べ物をそこに入れるための凹部状の小皿が、トレイ内部１ＳＰに設けられていても良い。尚、トレイ部１は、例えば、プラスチック等の合成樹脂の成型品として成る。
【００１５】
ここで、図２は、図１に示す矢印ＡＲの方向から、弁当箱用蓋部２０を仮に除外して、仕出し用弁当箱１００の弁当箱本体部１０を眺めた際の、弁当箱本体部１０の内部空間１０ＩＳ内の構成を模式的に示す平面図である。
【００１６】
図２に示される様に、既述のトレイ部１は、弁当箱本体部１０の一方の端部１０Ｅ１から、長手方向Ｄ１に対向する弁当箱本体部１０の他方の端部１０Ｅ２へ向けて、長手方向Ｄ１に沿って延在する第１領域Ａ１内に、配設されている。そして、上記のスタンド部２は、弁当箱本体部１０の一方の端部１０Ｅ１に対面するトレイ部１の一端部１Ｅ１に対向するトレイ部１の他端部１Ｅ２と、弁当箱本体部１０の他方の端部１０Ｅ２との間に位置し、且つ、第１領域Ａ１に隣接する第２領域Ａ２内に、嵌め込まれた状態に於いて、弁当箱本体部１０の内部空間１０ＩＳ内に配設されている。このスタンド部２は、幅方向Ｄ２に沿って延在した、略直方体の箱型形状を有しており、例えば、弁当箱本体部１０と同質の材料より成る。例えば、スタンド部２は、厚手の紙より成る。本実施の形態では、スタンド部２の内部は、一例として、全体的に、空洞の空間より成る。スタンド部２の特徴的構成は、次の諸点にある。尚、図１及び図２に於いては、図示化の便宜上、スタンド部２の上面２ＵＰ及び側面２ＳＰは、ハッチングで表示されている。
【００１７】
Ａ）先ず、スタンド部２は、幅方向Ｄ２に延在すると共に、弁当用の飲み物容器（後述する図３の参照符号３を参照。）が横向きで寝かされた状態で嵌合されて当該スタンド部２に収納される様にスタンド部２の上面２ＵＰを貫通する、第１貫通孔２Ｈ１を有する。この第１貫通孔２Ｈ１の直下に位置する、スタンド部２の上面２ＵＳからスタンド部２の底面２ＢＳまでの部分は、全体的に、空洞の空間である。そして、上記の飲み物容器（後述する図３の参照符号３を参照。）が横向きの寝かされた状態で第１貫通孔２Ｈ１及びその直下の空洞空間に嵌合・収納されている状態に於いて弁当箱用蓋部２０が弁当箱本体部１０を閉めた場合に、上記飲み物容器が弁当箱用蓋部２０の裏面２０ＢＳに接触しない様に、弁当箱本体部１０の高さＨ及びスタンド部２の高さＨ２（Ｈ２＜Ｈ）は、設定されている。ここで、第１貫通孔２Ｈ１の横断面形状（図２の紙面に平行な面内の形状。）は、上記の飲み物容器の形状に応じて、当該飲み物容器が横向きの寝かされた状態で第１貫通孔２Ｈ１内に嵌合可能な形状を有する。本実施の形態では、一例として、第１貫通孔２Ｈ１の横断面形状は、幅方向Ｄ２に延在した略長方形の形状である。そして、第１貫通孔２Ｈ１は、第１方向Ｄ１及び第２方向Ｄ２に関して、それぞれ、長さＬ１及び長さＬ２を有する。この長さＬ２は、後述する図３に例示される様に、上記の飲み物容器の高さ寸法乃至は長手寸法に相当している。又、長さＬ１は、上記の飲み物容器の底部の底面（後述の図３の参照符号３ＢＰに相当。）の横方向寸法に相当している。斯かる長さＬ１，Ｌ２の飲み物容器の形状との間の相対関係の設定により、後述される通り、上記の飲み物容器は、横向きで寝かされた状態で、第１貫通孔２Ｈ１を介して、スタンド部２の上記空洞空間内に嵌合されて収納され得る。更に、第１貫通孔２Ｈ１は、開孔周縁部分に、４個の内部へ突出した庇部２Ｈ１Ｆを有する。これらの庇部２Ｈ１Ｆの各々は、上下方向（縦方向Ｄ３）に関して柔軟に折れ曲がり可能な状態を有する。従って、上記の飲み物容器が横向き状態で第１貫通孔２Ｈ１内に嵌合される際に、各庇部２Ｈ１Ｆは、上記の飲み物容器からの押圧を受けて、側面２ＳＰと平行になる様に、下方へと折れ曲がることになる。尚、スタンド部２の底面２ＢＳ上には、箱型形状形成時の折り曲げ部２ＦＰが配設されている。
【００１８】
Ｂ）次に、スタンド部２は、第１貫通孔２Ｈ１に対峙して配設されている第２貫通孔２Ｈ２をも有する。この第２貫通孔２Ｈ２は、上記の飲み物容器が縦向きで縦方向Ｄ３に沿って立った状態で嵌合されてスタンド部２内に収納される様に、スタンド部２の上面２ＵＳを貫通しており、且つ、上記飲み物容器の底部乃至は底部の底面の形状に相当する横断面形状を有する。この様に、第２貫通孔２Ｈ２の上記横断面形状は、縦向きでスタンド部２内に収納される上記飲み物容器の底部の形状に応じて定まる。例えば、第２貫通孔２Ｈ２の上記横断面形状は、正方形、長方形又は円形等である。本実施の形態では、一例として、第２貫通孔２Ｈ２の上記横断面形状は、長手方向Ｄ１に延在した略長方形の形状に該当する。そして、第２貫通孔２Ｈ２は、第１方向Ｄ１及び第２方向Ｄ２に関して、それぞれ、長さＬ１及び長さＬ３を有する。この長さＬ３は、後述する図４に例示される様に、上記の飲み物容器の底部の底面の幅方向Ｄ２に関する縦方向寸法に相当している。尚、後述の図４の例では、上記の飲み物容器の底部の底面の縦方向寸法と、上記の飲み物容器の頂部の上面の縦方向寸法とは、共に、同一の長さＬ３である。又、長さＬ１は、上記の飲み物容器の底部の底面の横方向寸法に相当している。そして、第２貫通孔２Ｈ２の直下に位置するスタンド部２の上面２ＵＳからスタンド部２の底面２ＢＳまでの部分は、全体的に、空洞の空間である。斯かる空洞空間の設定及ぶ上記の長さＬ１，Ｌ３の飲み物容器の形状との間の相対関係の設定により、後述される通り、上記の飲み物容器は、縦向きで縦方向Ｄ３に沿って立った状態で、第２貫通孔２Ｈ２を介して、スタンド部２の上記空洞空間内に嵌合・収納・支持され得る。更に、第２貫通孔２Ｈ２は、その開孔周縁部分に、４個の内部へ突出した庇部２Ｈ２Ｆを有する。これらの庇部２Ｈ２Ｆの各々は、上下方向（縦方向Ｄ３）に関して柔軟に折れ曲がり可能な状態を有する。従って、上記の飲み物容器が縦向きの立った状態で第２貫通孔２Ｈ２内に嵌め込まれる際に、各庇部２Ｈ２Ｆは、上記の飲み物容器の底部からの押圧を受けて、側面２ＳＰと平行になる様に、下方へと折れ曲がることになる。
【００１９】
＜仕出し用弁当箱の使用態様及びその際の利点＞
【００２０】
図３は、弁当箱本体部１０のスタンド部２の第１貫通孔２Ｈ１を介して、スタンド部２内に弁当用の飲み物容器が横方向に寝かされた態様で嵌合・収納されている状態を模式的に示す平面図である。
【００２１】
学会の会合等に於いては、昼食等の食事用の仕出し用弁当箱１００が、会合等の運営者から当該会合等の参加者へ配膳される。その配膳時に於いては、弁当箱本体部１０の開口上部１０ＵＰは、図１の弁当箱用蓋部２０により被覆されて閉められた状態にある。この場合に於いて、予め、図３の例示の如く、飲み物が入った飲み物容器が、弁当箱用蓋部２０で閉ざされた弁当箱本体部１０のスタンド部２内に、第１貫通孔２Ｈ１を介して、横たわった状態で嵌合された状態で、収納されている。この弁当用の飲み物容器は種々の飲み物容器の一つであって、任意の物である。本実施の形態では、図３の例示の通り、配膳時に於いて、緑茶がその中に入った「お茶パック」３が、上記の弁当用の飲み物容器として、第１貫通孔２Ｈ１を介して、スタンド部２内に、予め、横たわって寝かされた状態で嵌合・収納されている。この「お茶パック」３の本体は紙で出来ており、略直方体の形状を有する。即ち、お茶パック３の底部の底面３ＢＰ及び頂部の上面３ＴＰの横方向寸法及び縦方向寸法は、それぞれ、既述した通りの寸法Ｌ１及び寸法Ｌ３であり、お茶パック３の底面３ＢＰ及び上面３ＴＰ間の高さ寸法は既述の寸法Ｌ２である。そして、お茶パック３の正面側の側面３ＦＰ上には、プラスチック製の袋５の中に入れられたストロ４が、上記の袋５を介して、斜め上に取付けられている。この仕出し用弁当箱１００の配膳時及び食前時に於いては、スタンド部２の第２貫通孔２Ｈ２の直下の空洞空間内には、何等の物も一切嵌合・収納されてはいない。勿論、弁当箱本体部１０のトレイ部１のトレイ内部１ＳＰには、弁当用の種々の食べ物が配設されている。従って、会合等の運営者は、予め弁当箱本体部１０のスタンド部２内に収納された弁当用の飲み物容器が入っている仕出し用弁当箱１００を、その配膳時に、会合等の参加者の下へ配ることが出来る。そのため、会合等の運営者は、弁当箱とは別に一々飲み物容器を参加者の下へ配る煩わしい手間を省くことが出来、且つ、飲み物容器を参加者の下へ配るのを忘れてしまう事態をも防止出来、以って、効率良く食事用の仕出し用弁当箱１００を参加者の下へ配膳することが出来る。
【００２２】
他方、図４は、弁当箱本体部１０のスタンド部２の第２貫通孔２Ｈ２を介して、第２貫通孔２Ｈ２直下のスタンド部２の空洞空間内に、弁当用の飲み物容器としての、お茶パック３が縦方向Ｄ３に沿って立てられた態様で、お茶パック３の底部側部分が嵌合・収納されている状態を、模式的に示す平面図である。換言すれば、図４は、参加者が配膳された仕出し用弁当箱１００の弁当箱用蓋部２０を開けてトレイ内部１ＳＰに盛り付けられた調理済みの食べ物を食べ始めた後、お茶パック３を第１貫通孔２Ｈ１から取り出して、お茶を適量飲んだ際に、当該お茶パック３を、第２貫通孔２Ｈ２を介して、弁当箱本体部１０内のスタンド部２に立て掛けて置いた状態を示している。尚、図４に於いて、参照符号３Ｅは、ストロ４用のストロ口であり、図示の便器上、袋５内に入ったままの状態のストロ４がお茶パック３の本体に取付けられている状態を示しているが、参加者がお茶を飲み始めた後には、ストロ４は、お茶パック３の本体とは別々となり、ストロ口３Ｅに挿入されることなる。
【００２３】
即ち、参加者は、仕出し用弁当箱１００の配膳後、テーブル上には多くの会議用の資料があるので、仕出し用弁当箱１００を自己の膝上に置いた上で、弁当箱用蓋部２０を開ける。そして、参加者は、開けた後の弁当箱用蓋部２０を裏返した上で、弁当箱用蓋部２０の底面２０ＢＳ内に、弁当箱本体部１０の底面１０ＢＳを重ね合せつつ、弁当箱本体部１０を嵌合して収納して、仕出し用弁当箱１００及び弁当箱用蓋部２０を膝上に配置する。この状態に於いて、参加者は、トレイ内部１ＳＰに盛り付けられた調理済みの食べ物を食べ始めることとなるが、この段階では、弁当箱本体部１０内の構成・配置は、図３に例示される通りである。
【００２４】
その後、参加者は、食事中に飲み物を飲むことを欲する際には、先ず、図３に示される様に寝かされた状態で嵌合・収納されている、お茶パック３を、第１貫通孔２Ｈ１より取り出した上で、お茶パック３の本体よりストロ４を取りはずしてストロ４をストロ口３Ｅに挿入した後に、ストロ４を通じて、お茶パック３内のお茶を飲み始める。そして、お茶を飲み終わった後、参加者は、お茶パック３を縦方向Ｄ３に立てた状態とした上で、この状態に於いて、当該お茶パック３の底部側部分を、第２貫通孔２Ｈ２を介して、第２貫通孔２Ｈ２直下のスタンド部２の空洞空間内に嵌合して収納する。この場合のスタンド部２により収納される当該お茶パック３の底部側部分の寸法は、第２貫通孔２Ｈ２直下のスタンド部２の空洞空間の深さ寸法により定まる。これにより、お茶パック３は、その底部側部分の嵌合・収納状態を通じて、第２貫通孔２Ｈ２及びその直下のスタンド部２の空洞空間によって、縦方向に立った状態として支持されることとなる。従って、参加者は、お茶の一部を飲んだだけの当該お茶パック３をわざわざテーブルの上に配置することなく、依然として、弁当箱本体部１０内のスタンド部２を通じて、自己の膝上に置いたままで、食事を続行することが出来る。そのため、参加者は、食事中、一部を飲んだだけの当該お茶パック３が横に倒れてこぼれて、お茶によりテーブル上の資料が濡れてしまう事態の発生を防止することが出来、参加者にとっては、お茶を飲み始めた後も依然として、立てた状態のお茶パック３を膝上に載せたままで安心して食事をすることが出来る。この点で、スタンド部２の第２貫通孔２Ｈ２の存在は、重宝な事である。
【００２５】
（変形例）
実施の形態１では、スタンド部２の内部空間は全体的に空洞空間を成しているが、それに代えて、スタンド部２の内で、第１貫通孔２Ｈ１の直下部分及び第２貫通孔２Ｈ２の直下部分のみが全体的に空洞空間を成す様に設定しても良い。この場合でも、実施の形態１で既述した作用・利点が同様に得られる。
【００２６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００２７】
本考案は、例えば、会議の場に於いて提供される仕出し弁当用の食べ物及び飲み物を弁当箱内に収納可能とするための「仕出し用弁当箱」に適用して好適である。
【符号の説明】
【００２８】
１００  仕出し用弁当箱
１０  弁当箱本体部
２０  弁当箱用蓋部
１  トレイ部（トレー部）
２  スタンド部
２Ｈ１  第１貫通孔
２Ｈ２  第２貫通孔
３  飲み物容器
Ａ１  第１領域
Ａ２  第２領域
Ｄ１  長手方向
Ｄ２  幅方向
【図１】
0003210036.tif 000003
【図２】
0003210036.tif 000004
【図３】
0003210036.tif 000005
【図４】
0003210036.tif 000006